Podtech/llm-jp-corpus-v4-ja_patent huggingface dataset:
(57)【要約】      （修正有）【課題】王林リンゴ風味の製品の提供。【解決手段】王林リンゴをアイスクリーム、饅頭、パンに混合した。【選択図】図２
2006141391.tif 000002
【特許請求の範囲】
【請求項１】
ソフトクリームの中に（青りんご）王林りんごをまぜたアイスクリーム本体王林りんごの身の中に王林りんごのジャムを入れたアイスクリーム・まんじゅう・パン本体王林りんごの身の中にこしあんかつぶあんを入れたアイスクリーム・まんじゅう・パン本体王林りんごの身の中にイチゴジャムを入れたアイスクリーム・まんじゅう・パン本体王林りんごの身の中にオレンジジャムを入れたアイスクリーム・まんじゅう・パン
【発明の詳細な説明】
【技術分野】
【０００１】この発明はソフトクリームの中に（青りんご）王林りんごをまぜたアイスクリーム本体王林りんごの身の中に王林りんごジャムを入れたアイスクリーム・まんじゅう・パン本体王林りんごの身の中にこしあんかつぶあんを入れたアイスクリーム・まんじゅう・パン本体王林りんごの身の中にイチゴジャムを入れたアイスクリーム・まんじゅう・パン本体王林りんごの身の中にオレンジジャムを入れたアイスクリーム・まんじゅう・パンに関するものである。（背景技術）【０００２】カップ入りアイスクリームとまんじゅう型を考えた。まんじゅう型のまんじゅうとパンも考案した。（発明の開示）（発明が解決しようとする課題）【０００３】雪見大福の応用であり、それをしのごうと考案したものである。（課題を解決するための手段）【０００４】ソフトクリームの中に（青りんご）王林りんごをまぜあわせたカップアイスクリーム2006141391.tif 000003
（発明の効果）【０００５】おいしいアイスクリームができると思った。おいしいまんじゅうができると思った。おいしいパンができると思った。（発明を実施するための最良の形態）【０００６】以下、本発明の実施例について説明する。図１の２はカップアイスクリーム本体であり、１はフタである。図２の１は王林の味のする身であり、２は王林ジャムである。図３の１は王林の味のする身であり、２はこしあんかつぶあんである。図４の１は王林の味のする身であり、２はイチゴジャムである。図５の１は王林の味のする身であり、２はオレンジジャムである。
【図面の簡単な説明】
【０００７】
【図１】本発明の斜視図である
【図２】本発明の斜視図である
【図３】本発明の斜視図である
【図４】本発明の斜視図である
【図５】本発明の斜視図である
【符号の説明】
【０００８】図１の１フタ    図２の１王林の味のする身    図３の１王林の味のする身      ２本体          ２王林ジャム                ２こしあんかつぶあん図４の１王林の味のする身          図５の１王林の味のする身      ２イチゴジャム                    ２オレンジジャム
【図１】
2006141391.tif 000004
【図２】
2006141391.tif 000005
【図３】
2006141391.tif 000006
【図４】
2006141391.tif 000007
【図５】
2006141391.tif 000008
(57)【要約】【課題】本考案は茶の成分を最大限になおかつ簡単に摂取出来、又従来の製造工程における時間、経費を削減する事の出来るお茶の提供をするものである。【解決手段】成分重視の方向から生茶葉の水分のみを除き、殺菌、粉砕、微粉末の工程にてカプセルに充填し服用カプセル茶とする。【特許請求の範囲】
【請求項１】
乾燥、殺菌工程
摘採した生茶葉を即乾燥殺菌する。
【請求項２】
粉砕、保管工程
乾燥殺菌茶葉を１〜２ミリに粉砕し秋冬番茶が当工程に至る迄０℃以下の冷蔵庫に保管する。
【請求項３】
合組、微粉末工程
粉砕、保管した１〜秋冬番茶を合組（ブレンド）し１００メッシュ以下の微粉末にする。
【請求項４】
カプセル充填工程
微粉末を服用ハードカプセル、ソフトカプセルに充填し製品とする。
【発明の詳細な説明】
【技術分野】
【０００１】  本考案は生茶葉の水分度を限りなくゼロに近づけ衛生的に主成分を簡単に摂取することの出来るお茶の考案
【背景技術】
【０００２】  従来の製茶工程は蒸し、粗揉、揉念、中揉、精揉、乾燥、荒仕上、切断、選別、火入、合組（異物除去）の工程でした。
【発明の開示】
【発明が解決しようとする課題】
【０００３】  しかしながら美味しさを追求するあまり、時間、経費がかかり過ぎ又茶葉の成分が粗揉の段階で多量の茶渋となり飲用時においても茶殻として除去されます。その他にも外出時等にその摂取の不便性と云う大きな欠点があります。
【課題を解決する為の手段】
【０００４】  本考案は従来の製茶工程を単純化し下記の工程で製品とし、上記の課題を解決するものである。
▲１▼
【乾燥、殺菌工程】
遠赤外線乾燥機（他の乾燥機でも可）を使用し殺菌及び生茶葉の水分度を限りなくゼロに近づけ茶の成分のみとする。
▲２▼
【粉砕、保管工程】
▲１▼の茶葉を１〜２ミリに粉砕をし、秋冬番茶が当工程に至るまで０℃以下の冷蔵庫に保管する。
▲３▼
【合組、微粉末工程】
成分が均一化された商品にする為▲２▼の１〜秋冬番茶を合組（ブレンド）し、１００メッシュ以下の微粉末にする。
▲４▼
【カプセル充填工程】
▲３▼の微粉末を長さ１７．５ミリ幅６．２ミリのハードカプセル、ソフトカプセルに０．２ｇを充填し服用カプセル茶とする。
以上の工程を持って課題を解決するものである。
【考案の効果】
お茶の品種の中で花粉症等に抑制効果のあるメチル化カテキンを含有する品種があります。従来の製茶工程で仕上げるとその成分は１００ｇ中１．３ｇでしたが本考案の工程の結果は２．０ｇの高数値を得られました（高速液体クロマトグラフ法）。又製茶時間においても５時間の削減が出来ました。
(57)【要約】【課題】  梅果実を効果的に利用した梅果実入りの新規なチョコレート菓子を提供する。【解決手段】  氷砂糖と酒により漬け込まれ、梅酒生成に使用した梅果実１を、チョコレートを溶かした中にバター、生クリーム、梅酒を混ぜ込み冷やし固めて生成した梅酒入りチョコレート２で被覆し、この梅酒入りチョコレート２の周りをコーティングチョコレート３で包んだことを特徴とする梅果実入りチョコレート菓子。【選択図】  図１
2006141230.tif 000002
【特許請求の範囲】
【請求項１】
氷砂糖と酒により漬け込まれ、梅酒生成に使用した梅果実を、チョコレートを溶かした中にバター、生クリーム、梅酒を混ぜ込み冷やし固めて生成した梅酒入りチョコレートで被覆し、この梅酒入りチョコレートの周りをコーティングチョコレートで包んだことを特徴とする梅果実入りチョコレート菓子。
【請求項２】
前記コーティングチョコレートの周りにココアをまぶしたことを特徴とする請求項１記載の梅果実入りチョコレート菓子。
【請求項３】
前記ココアの上に少なくとも１個の金箔を飾るようにしたことを特徴とする請求項２記載の梅果実入りチョコレート菓子。
【発明の詳細な説明】
【技術分野】
【０００１】
本発明は梅酒生成に使用した梅果実の風味を生かした美味な梅果実入りチョコレート菓子に関する。
【背景技術】
【０００２】
菓子材料として梅果実を利用する菓子に特許文献１〜４に記載のものが提案されている。特許文献１はチョコレートと梅干し粉末を組み合わせた例、特許文献２は梅肉又は梅肉エキスとチョコレートを組み合わせた例、特許文献３はアイスクリームに梅を入れた例、特許文献４は梅果実を粉末茶を含むホワイトチョコレートで被覆した例である。
【特許文献１】特開昭５８−  ５６６３９号公報
【特許文献２】特開昭６３−１６０５５２号公報
【特許文献３】特開昭６３−２６３０５０号公報
【特許文献４】特開平  ６−  ２２７００号公報
【発明の開示】
【発明が解決しようとする課題】
【０００３】
本発明は、梅果実を効果的に利用した梅果実入りの新規なチョコレート菓子を提供することを課題とする。
【課題を解決するための手段】
【０００４】
上記課題を解決するためになされた請求項１記載の梅果実入りチョコレート菓子は、梅酒生成に使用した梅果実を使用することを特徴としている。
【０００５】
かかる梅果実入りチョコレート菓子によれば梅果実を梅酒生成及び菓子作成に利用することができ安価な梅果実入りチョコレート菓子を提供できるようになる。
【０００６】
請求項２記載の梅果実入りチョコレート菓子は、請求項１記載の特徴に加えて、コーティングチョコレートの周りにココアをまぶしたことを特徴としている。
【０００７】
請求項３記載の梅果実入りチョコレート菓子は、請求項２記載の特徴に加えて、ココアの上に少なくとも１個の金箔を飾るようにしたことを特徴としている。
【発明の効果】
【０００８】
本発明によれば梅酒生成に使用した梅果実を、梅酒を混ぜ込んだ梅酒入りチョコレートで被覆した梅果実入りチョコレート菓子であるから、梅果実を効率良く利用することができると共に安価な梅果実入りチョコレート菓子とすることが可能となる。
【発明を実施するための最良の形態】
【０００９】
以下本発明梅果実入りチョコレート菓子の一実施形態を示す図1を参照して説明する。青梅の梅果実1の周りを梅酒入りバターチョコレート２で被覆し、この梅酒入りバターチョコレート２の周りをテンパリングしたコーティングチョコレート３で包み、更にこのコーティングチョコレート３の周りにココア４をまぶし、ココア４の上に少なくとも１個の金箔５を飾るようにした梅果実入りチョコレート菓子である。なおココア４、金箔５は好みや装飾によってまぶしまたは飾るもので、必須のものではない。
【００１０】
前記梅果実1は、青梅をホワイトリカーと氷砂糖の中に約半年程度漬け込んで寝かして作成されたものである。このようにしてできた梅果実１は、梅酸味、クエン酸、りんご酸が含まれることから殺菌、胃酸の代用となり、整腸作用、食欲増進や暑気払いの効果が期待されるものである。なお梅果実１は、梅酒漬けした梅果実１の種を取り除いた後に水分を拭き取っておく。これは水分（アルコール分）が付着していると、後工程での梅酒入りバターチョコレート２で被覆しにくいためである。種を取り除き約１／２の梅果実を梅酒入りバターチョコレート２で被覆し、茶巾絞りの要領でラップなどで包んで約２〜３時間冷蔵庫でおちつかせる。
【００１１】
前記梅酒入りバターチョコレート２は、湯煎で溶かしたチョコレートの中に梅酒及びホイップした無塩バターを加えて作成されたものである。かかる梅酒入りバターチョコレート２は、チョコレートに軽さと深み、又舌で溶ける食感をまろやかとし、２ヶ月の冷蔵保管が可能となる。チョコレートはエネルギーが高い食品で苦味成分テオブロミンには興奮作用があり、疲労回復に効果がある。梅果実１と組合わせることで、甘味を楽しむだけでなく健康食としても期待される。
【００１２】
前記コーティングチョコレート３は次のようにして作られる。クーベルチュールチョコレートを細かく刻み、刻んだクーベルチュールチョコレートを第１ボール内に入れ湯煎にて４０℃まで温度を上げながら溶かす。次に溶かしたクーベルチュールチョコレートが入った第１ボールを冷水が入った第２ボール内に入れてクーベルチュールチョコレートを２６℃まで下げる。この際クーベルチュールチョコレートがだまになり易いので、クーベルチュールチョコレートをかき混ぜながら温度を下げる。クーベルチュールチョコレートの温度が下がったら再び湯煎にかけて３２℃まで温度を上げる。このように温度調整（テンパリング）されて作られたコーティングチョコレート３は口当たりが良くなめらかなチョコレートとなる。
【００１３】
上記のようにして作られたコーティングチョコレート３内に、梅果実１を被覆した梅酒入りバターチョコレート２を入れて梅酒入りバターチョコレート２の周りにコーティングチョコレート３を薄くコーティングする。この際余分についたコーティングチョコレート３を落としながら行う。
【００１４】
ココア４は、甘味のないものを用意し、コーティングチョコレート３で被覆した梅果実１をココア４の中で転がしコーティングチョコレート３の表面をココア４で覆う。その後冷蔵して固めた後に、ココア４又はコーティングチョコレート３の一部を焼きゴテ等を当ててココア４又はコーティングチョコレート３を溶かしその上に金箔５を張り付ける。
【図面の簡単な説明】
【００１５】
【図１】本発明による梅果実入りチョコレート菓子の一実施形態を示す断面図。
【符号の説明】
【００１６】
１は梅果実、２は梅酒入りチョコレート、３はコーティングチョコレート、４はココア、５は金箔。
【図１】
2006141230.tif 000003
(57)【要約】【課題】            従来より有する納豆の効能をさらに増強、向上させ、一層の健康維持と促進を図ることであり、納豆をさらに食べ易く、従来にない食感を出す付随効果を得ることである。【解決手段】        納豆をベースとし、その納豆に生麹と刻んだ干し昆布を混合させてあることとし、前記した干し昆布は塩をまぶしたものとし、ほぼ５ｍｍ四方に刻んであることとし、前記した混合の割合は納豆１に対して生麹をほぼ重量％で３分の１とし、干し昆布は数１０枚前後としたこととする。【選択図】          なし【特許請求の範囲】
【請求項１】
納豆をベースとし、その納豆に生麹と刻んだ干し昆布を混合させてあることを特徴とする納豆食品。
【請求項２】
前記した干し昆布は塩をまぶしたものとし、ほぼ５ｍｍ四方に刻んであることを特徴とする請求項１に記載の納豆食品。
【請求項３】
前記した混合の割合は納豆１に対して生麹をほぼ重量％で３分の１とし、干し昆布は数１０枚前後としたことを特徴とする請求項１または請求項２に記載の納豆食品。
【請求項４】
前記した生麹と干し昆布は各々袋詰めとされ、納豆パックに添付されており、使用時に袋を開封し、納豆に混合させることを特徴とする請求項１、請求項２または請求項３に記載の納豆食品。
【発明の詳細な説明】
【技術分野】
【０００１】
本発明は納豆食品に関し、特に納豆が従来より有する健康維持あるいは促進の効能を一層増強、向上させることができる納豆食品に関する。
【背景技術】
【０００２】
現在、納豆は発泡スチロールの容器、カップ、わらあるいは経木等に収納された形態で販売されており、商品によってはビニール等の袋に詰められた辛子やたれが添加用として添付されている。
【０００３】
納豆は健康維持あるいは促進の効能として血流をサラサラとさせることが認証されており、優良な蛋白源としても知られている。
【０００４】
一方、麹は米、麦、大豆等にコウジカビ等のカビをはやしたもので、そのカビのつくり出す酵素がデンプン、蛋白質をそれぞれ糖やアミノ酸に分解する。この特性を利用して麹は酒類、みそ、しょうゆ等の醸造や漬物、菓子等の製造に用いられている。
【特許文献１】本願発明に関し、出願人は先行する技術の調査を行なったが格別に類似すると思われる文献は発見できなかった。
【発明の開示】
【発明が解決しようとする課題】
【０００５】
本発明が解決しようとする課題は従来より有する納豆の効能をさらに増強、向上させ、一層の健康維持と促進を図ることであり、納豆をさらに食べ易く、従来にない食感を出す付随効果を得ることである。
【課題を解決するための手段】
【０００６】
この課題を解決するために、本発明に係る納豆食品は納豆をベースとし、その納豆に生麹と刻んだ干し昆布を混合させてあることを特徴とし、前記した干し昆布は塩をまぶしたものとし、ほぼ５ｍｍ四方に刻んであることを特徴とし、前記した混合の割合は納豆１に対して生麹をほぼ重量％で３分の１とし、干し昆布は数１０枚前後としたことを特徴とし、前記した生麹と干し昆布は各々袋詰めとされ、納豆パックに添付されており、使用時に袋を開封し、納豆に混合させることを特徴としている。
【発明の効果】
【０００７】
本発明に係る納豆食品は上記のように構成されている。そのため、納豆に混合される生麹が作用して、納豆に含有されるデンプン、蛋白質を分解して糖やアミノ酸も生成することになり、単なる納豆よりも吸収力が高められ、血行を増進するうえ、血圧降下にも良好な効果を得ることとなる。
【０００８】
また、単に生麹のみを混合したのでは、生麹特有の臭いがきつく食に適さないが、干し昆布も同時に混合することで、この臭いを消し、加えて独特の昆布の香りが得られ、今までにない食感も得ることができることとなる。
【発明を実施するための最良の形態】
【０００９】
後述する実施例として述べる構成とすることにより実現した。
【実施例１】
【００１０】
次に、本発明の好ましい実施の例を説明する。本発明の実施に際し、要するものはまず納豆であり、この納豆は市販の一般的なものでよく、その包装形態や原料となる豆の産地や大きさ等にこだわるものではない。
【００１１】
この市販の納豆一食分に対し、その重量％として略３分の１の生麹を混入し、よく混ぜ合わせる。但し、この作業は納豆数食分をどんぶり等にあけ、それに対応する量の生麹を混合させ、冷蔵保管して数回に分け食するようにすることもできる。
【００１２】
また、納豆に混合する生麹は独特の臭いがきついものであり、この消臭のために刻んだ干し昆布を同時に混合させる。この干し昆布は塩をまぶしたものを使用することが食感としても非常に好ましいものとなる。さらに、干し昆布はそれ自体に独特の良香を有するもので、また、納豆にしょうゆをかけた場合そのしょうゆの吸収効果も有しており、混入されることで全体にその昆布の香りが得られることとなり、その香りも食感に良い影響を与えることができるものとなる。
【００１３】
前記した干し昆布は略５ｍｍ四方に刻まれることがよく、一食に対して数１０枚、特に３０〜４０枚程度を混合することが好ましい。
【００１４】
こうして得られた納豆食品はすべての混合後、数時間の経過後に食に適した状態となるが、前記したように冷蔵保存しておき、適宜な時に食することも勿論可能である。
【００１５】
この納豆食品は従来のように米飯とともに食することもできるが、レタス、サニーレタス、キャベツ等の葉野菜や乾燥海苔で包んだり、パンに挟んで食べたり、また、酒の肴としても好適なものとなる。
【００１６】
上記した構成の納豆食品は従来の単品の納豆に比べより一層血行を良好なものとし、その血行の良好性が肌の老化を抑え、美肌を得ることができ、加えて、高血圧の人に対して血圧降下の効果も発揮し、出願人自らは数値として１０〜１５の血圧降下を得ることができた。
【００１７】
さらに、前記した生麹や刻んだ干し昆布は、現在市販されている納豆の包装に対して、ビニール等の袋に適量を詰め、添付した状態で販売されることが望ましく、使用に際しての至便性が向上することとなり、商品としての納豆に大きな付加価値がつけられることともなる。
【産業上の利用可能性】
【００１８】
本発明に係る納豆食品は上述のように構成されている。生麹や干し昆布の混合割合は記載した数値に限定されるものでないことは勿論であり、各自の好みに応じて採択でき、また、その他の一般的な刻みネギやシラス干し等の混合を同時に行なうことを拒否してしまうものではなく、すべて各自の好みに応じて実行することが可能で、それによって効果が減ずることはない。
(57)【要約】【課題】より繭化しにくい生き釣り餌として使用されるハチミツガ幼虫の製造方法を提供すること。【解決手段】ハチミツガ幼虫を、内温４５〜５５℃の温水中に浸漬させることを特徴とする生き釣り餌の製造方法。【選択図】なし【特許請求の範囲】
【請求項１】
ハチミツガ幼虫を、内温４５〜５５℃の温水中に浸漬させることを特徴とする生き釣り餌の製造方法。
【請求項２】
浸漬時間が、５〜６０秒である請求項１に記載の生き釣り餌の製造方法。
【請求項３】
ハチミツガ幼虫を、内温４５〜５５℃の温水中に浸漬させた後、放冷もしくは前記浸漬温度よりも低い内温の水中に再度浸漬させて冷却処理する請求項１に記載の生き釣り餌の製造方法。
【発明の詳細な説明】
【技術分野】
【０００１】
本発明は、生き釣り餌の製造方法に関する。
【背景技術】
【０００２】
渓流や河川での生き釣り餌として、ハチミツガ（学名：ガレリア・メロネラ，別名：ハチノスツヅリガ）幼虫が広く用いられており、通常卵から孵化し、２０℃〜３５℃程度の温度で、２０〜４０日間程度飼育されたハチミツガ幼虫が生き釣り餌として市販されている。ハチミツガ幼虫は、時間の経過とともに、吐糸して繭を形成し、蛹化する性質を有しているため、出荷当時は幼虫であったとしても、流通過程において、繭を形成し、蛹化することが度々あった。繭を形成したハチミツガ幼虫を生き釣り餌として用いるためには、繭からハチミツガ幼虫を取り出す必要があり、蛹化したハチミツガ幼虫はもちろんのこと、繭化したハチミツガ幼虫は生き釣り餌としては好ましくないものであった。そのため、より繭化しにくいハチミツガ幼虫が生き釣り餌として望まれていた。
【発明の開示】
【発明が解決しようとする課題】
【０００３】
このような状況のもと、本発明者は、より繭化しにくい生き釣り餌として使用されるハチミツガ幼虫の製造方法について、鋭意検討したところ、ハチミツガ幼虫を、内温４５〜５５℃の温水に浸漬させることにより、ハチミツガ幼虫の繭化を抑制することができることを見出し、本発明に至った。
【課題を解決するための手段】
【０００４】
すなわち本発明は、ハチミツガ幼虫を、内温４５〜５５℃の温水中に浸漬させることを特徴とする生き釣り餌の製造方法を提供するものである。
【発明の効果】
【０００５】
本発明によれば、より繭化しくにいハチミツガ幼虫を製造することができるため、商品として出荷できる有効なハチミツガ幼虫が多く、商業的に有利となり得る。
【発明を実施するための最良の形態】
【０００６】
本発明に用いられるハチミツガ（学名：ガレリア・メロネラ，別名：ハチノスツヅリガ）幼虫は、天然のハチミツガ幼虫であってもよいし、例えばハチミツガの卵を人工孵化させ、２０℃〜３５℃程度の温度で飼育した幼虫であってもよい。後者のハチミツガ幼虫を用いる場合、通常孵化してから２０〜４０日程度飼育した、最終齢もしくは最終齢よりも１〜２齢前の幼虫が用いられる。また、かかるハチミツガ幼虫の体重は、通常２００〜５５０ｍｇ程度であることから、体重を目安にしてもよい。
【０００７】
本発明は、ハチミツガ幼虫を、内温４５〜５５℃の温水中に浸漬させることを特徴とするものであり、これにより繭化を抑制することができる。
【０００８】
内温４５〜５５℃の温水中に浸漬させる時間は、通常５〜６０秒であり、温水の温度に応じて決めればよい。例えば内温４５℃の温水であれば、浸漬時間は４０〜６０秒が好ましく、内温５０℃の温水であれば、浸漬時間は２０〜６０秒が好ましく、内温５５℃の温水であれば、浸漬時間は５〜２０秒が好ましい。
【０００９】
ハチミツガ幼虫は、通常その全体が温水中に浸り、全体が略均一に温められるよう浸漬される。例えば所定数のハチミツガ幼虫を、金属もしくは樹脂製の籠に入れ、該籠を温水中に浸すことにより実施することができる。
【００１０】
浸漬終了後、温水中からハチミツガ幼虫を取り出し、放冷した後、そのまま生き釣り餌としてもよいが、例えば布等により水滴を拭き取った後、生き釣り餌とすることが好ましい。また、温水中からハチミツガ幼虫を取り出し、前記浸漬温度よりも低い内温、例えば５〜３５℃の水中に再度浸して冷却処理し、前記水中からハチミツガ幼虫を取り出し、放冷もしくは例えば布等により水滴を拭き取った後、生き釣り餌としてもよい。前記浸漬温度よりも低い内温の水中に、ハチミツガ幼虫を再度浸漬させる場合の浸漬時間は、通常５〜１００秒である。また、布等で水滴を拭き取る代わりに、例えばドライヤー等の乾燥器で乾燥させてもよい。
【実施例】
【００１１】
以下、実施例により本発明をさらに詳細に説明するが、本発明はこれら実施例に限定されない。
【００１２】
比較例１
ハチミツガ幼虫１２５匹をそのまま室温で放置した。３週間後、繭や糸の有無により、以下の３段階にハチミツガ幼虫を分類し、それぞれの割合を求めた。結果を表１に示した。Ｃの割合は７９％で、ＡとＢの合計の割合は１５％強であった。
【００１３】
Ａ・・・繭化していないハチミツガ幼虫であり、糸は見られない
Ｂ・・・繭化していないハチミツガ幼虫であり、うっすらと糸はある
Ｃ・・・繭化したハチミツガ幼虫
【００１４】
実施例１〜８
表１に示す条件で、ハチミツガ幼虫１２５匹をそれぞれ温水処理および冷却処理した後、０．５〜４時間室温で放置した。その後、約１０℃で保管した。３週間後、前記比較例１と同様に、繭や糸の有無により、前記３段階にハチミツガ幼虫を分類し、それぞれの割合を求めた。結果を表１に示した。Ｃの割合は約４０％以下で、ＡとＢの合計の割合が約５０％以上であった。
【００１５】
【表１】
2006141204.tif 000002
【００１６】
実施例９〜１２
表２に示す条件で、ハチミツガ幼虫１００匹をそれぞれ温水処理および冷却処理した後、室温で１時間放置した。その後、約１０℃で保管した。３週間後、前記比較例１と同様に、繭や糸の有無により、前記３段階にハチミツガ幼虫を分類し、それぞれの割合を求めた。結果を表２に示した。ＡとＢの合計の割合は７０％以上であった。
【００１７】
【表２】
2006141204.tif 000003
【００１８】
比較例２
ハチミツガ幼虫１００匹を、内温４０℃の温水に６０秒間浸漬し、温水処理した後、取り出し、内温２０℃の水中に、６０秒間再度浸漬させ、冷却処理を行った。ハチミツガ幼虫を取り出し、布で水滴を拭き取った後、室温で１時間放置した。その後、約１０℃で保管した。３週間後、前記比較例１と同様に、繭や糸の有無により、前記３段階にハチミツガ幼虫を分類し、それぞれの割合を求めたところ、Ａが５％、Ｂが１７％、Ｃが６７％であった。
【００１９】
比較例３
ハチミツガ幼虫１００匹を、内温６０℃の温水に１０秒間浸漬し、温水処理した後、取り出し、内温２０℃の水中に、６０秒間再度浸漬させ、冷却処理を行った。ハチミツガ幼虫を取り出し、布で水滴を拭き取った後、室温で１時間放置した。その後、約１０℃で保管したが、３週間後には、ほぼ全部死亡していた。
(57)【要約】【課題】    乳幼児がほ乳びんでミルクを飲む際に一定の年齢からは、自分でほ乳びんに手を添え握って飲む。しかし、乳幼児の握力や力は弱く、ほ乳びんが不安定で危険なため、ほ乳びんの底を支えるなど人手がいる。【解決手段】  ほ乳びんに上からかぶせて装着するカバーにほ乳びんを握った時、乳幼児の手の甲を固定させるバンドを両サイドに１つずつ取り付けた。これにより、人手を必要とせず、一人でほ乳びんを落とす事もなく安定させ、安全にミルクを飲むことができる。【選択図】図１
2006141938.tif 000002
【特許請求の範囲】
【請求項１】
乳幼児の手を入れ固定させるバンドが付いていて、一人でミルクを飲む事ができるほ乳びんカバー。
【発明の詳細な説明】
【技術分野】
【０００１】  本発明は、乳幼児がほ乳びんでミルクを飲む際に使用するものである。【０００２】  従来、乳幼児がほ乳びんでミルクを飲む際に一定の年齢からは、自分でほ乳びんに手を添え握って飲む。
【発明の開示】
【発明が解決しようとする課題】
【０００３】  以上に述べた従来の飲み方では、ほ乳びんが不安定で危険なため、ほ乳びんの底を支えるなど人手がいる。【０００４】  本発明は、ほ乳びんでミルクを飲む際に乳幼児を危険から守り、人手がかからない事を目的とするものである。
【課題を解決する手段】
【０００５】  そこで本発明は、上記の目的を達成する為に、ほ乳びんにかぶせて装着するカバーに乳幼児の手の甲を固定させるバンドを両サイドに１つずつ設けたものである。
【発明の効果】
【０００６】  上述したように、本発明品により人手がいらず、一人でほ乳びんを落とす事もなく、安全にミルクを飲むことができる。
【発明を実施するための最良の形態】
【０００７】  以下、本発明の実施の形態を図面に基づき詳細に説明する。【０００８】  図１は、前からみた図、図２は、横からみた図である。【０００９】  図１、図２に示すように、ほ乳びんカバー１１の長さは、ミルクの残量が分かるようにほ乳びんよりも少し短い。【００１０】  ほ乳びんカバーの下に付いているほ乳びん固定バンド１２は、ほ乳びんが外れないように、ほ乳びんの底を固定するように巻き、ホックボタン凸１３とホックボタン凹１４で止めるような仕組みである。【００１１】  実際に乳幼児がミルクを飲む際は、手の甲固定バンド１５の中に手のひらを入れた状態でほ乳びんを持ち飲む。
【図面の簡単な説明】
【００１２】
【図１】  本発明の前面図である。
【図２】  本発明の横面図である。
【符号の説明】
【００１３】１１      ほ乳びんカバー
１２      ほ乳びん固定バンド
１３      ホックボタン凸
１４      ホックボタン凹
１５      手の甲固定バンド
【図１】
2006141938.tif 000003
【図２】
2006141938.tif 000004
(57)【要約】【目的】座骨神経痛快癒器は、椅子、腰掛け等の上に置いて衣服を着たまま使用する物で、座骨神経痛で悩む人達が痛みが取れ、仕事に、勉強に、レジャーに楽しく過ごせるように考案された物である。【構成】  腰痛、座骨神経痛の有る側の臀部を痛治部３に、痛みのない健側を坐部２になるように座ることにより、段差４が有るために即座にその側の背骨６（詳しくは椎間孔）が開き、神経の圧迫がとれ、痛みを無くす構成をもつ座骨神経痛快癒器なのである。反対向きに１８０度回転させて設置することにより、人体の左、右の痛みに対応可能である。【選択図】          図１
2006141936.tif 000002
【特許請求の範囲】
【請求項１】
本考案は、座骨神経痛快癒器を椅子、腰掛け等の上に置いて使用する物で、反対向きに１８０度回転させることにより、人体の左、右の痛みに対応可能であり、腰痛、座骨神経痛の有る側の臀部を痛治部３に、痛みのない健側を坐部２になるように座ることにより、段差４が有るために即座にその側の背骨６が開き、神経の圧迫が取れて痛みが無くなるという目的をもつ座骨神経痛快癒器。
【発明の詳細な説明】
【発明の詳細な説明】
【産業上の利用分野】
【０００１】      本考案は、座骨神経痛で悩む人達が痛みが取れ、仕事に、勉強に、レジャーに楽しく過ごせるように考案された物で、詳しくは医学的に関わるものである。
【背景技術】
【０００２】      従来、座骨神経痛といえばシップ、痛み止めの注射が主で、それが嫌で各個人は自分なりに民間療法に頼っていた。
【発明が解決しようとする課題】
【０００３】      従来のやり方ではますます悪化する人が多くあった。
【０００４】      従来の治療の仕方で考えれば、痛み止めのクスリ、注射で椎間板ヘルニアなどに悪化する人も多かった。
【０００５】      座骨神経痛や腰痛は、神経の圧迫が取れれば痛みから解放されるのである。つまり、根本療法を見逃していたのである。
【０００６】      従来の難点を思いっきり発想をかえて家庭で、職場で、痛いときに使用出来るようなものはないのか、仕事中、勉強中に座骨神経痛を気にしないですむもの、これを提供しようというものである。
【課題を解決するための手段】
【０００７】      上記目的を達成するために、本考案における座骨神経痛快癒器は、衣服の上から使用することが出来るものである。
つまり、事務仕事や勉強中に椅子の上に本考案の座骨神経痛快癒器を置いて座れば痛みが去るのである。
【作用】
【０００８】      座骨神経痛等の神経痛はほとんどが片側に現れると言っても過言ではない。両方痛い人はまれで、そうであってもどちらか片側がひどく現れるものである。
【０００９】      つまり、事務仕事や勉強中に椅子の上に本考案の座骨神経痛快癒器を置いて、痛い方の臀部を痛治部３に、健側を坐部２にして座れば、段差４があるために背骨６が図４のように湾曲するために神経の圧迫が緩和し痛みが去るのである。
【００１０】      そのようになることから、医学的には背骨の椎間孔から出るところの神経の圧迫が緩和し、痛みが去るのである。かなり痛い場合でも短時間に痛みが取れるという効果がでる。
【００１１】    本考案の座骨神経痛快癒器は座骨神経痛や腰痛の予防と治療効果を有する。座骨神経痛は神経の圧迫によって起こりやすい病気である。
【実施例】
【００１２】      実施例について図面を参照して説明する。
本考案における座骨神経痛快癒器は、衣服の上から使用することが出来るものである。【００１３】      つまり、事務仕事や勉強中に椅子の上に本考案の座骨神経痛快癒器を置いて、痛い方の臀部を痛治部３に、健側を坐部２にして座れば、段差４があるために背骨が図４のように湾曲するようになる。【００１４】    そのようになることから、背骨の椎間孔から出るところの神経の圧迫が緩和し、痛みが去るのである。【００１５】      かなり痛い場合でも短時間に痛みが取れるのである。
【発明の効果】
【００１６】      本発明は、以上説明したように構成されているので、以下に記載されるような効果を奏する。
【００１７】      請求項１の座骨神経痛快癒器は、椅子、腰掛け等の上に置いて使用する物で、腰痛、座骨神経痛の有る側の臀部を痛治部３に、痛みのない健側を坐部２になるように座ることにより、段差４が有るために即座にその側の背骨６が開き、神経の圧迫がとれ、痛みを無くす目的をもつ座骨神経痛快癒器なのである。反対向きに１８０度回転させて設置することにより、人体の左、右の痛みに対応可能である。
【図面の簡単な説明】
【図１】座骨神経痛快癒器の平面図とその側面図である。
【図２】座骨神経痛快癒器の正面図である。
【図３】座骨神経痛快癒器の使用中の斜面図である。
【符号の説明】
１  本体
２  座部
３  痛治部
４  段差
５  イス
６  背骨
【図１】
2006141936.tif 000003
【図２】
2006141936.tif 000004
【図３】
2006141936.tif 000005
(57)【要約】【課題】硬い付け爪のために、自爪と付け爪との間にできる空間が、取れやすい状態にし、硬さを和らげるために、薄くしたとしても折れや割れを防ぐ事をカバーすることはできなかった。【解決手段】自爪のカーブに適合し易くし、自爪と付け爪の間に生じる空間を作らずフィット感をもたせるためには、柔軟性のある柔らかな付け爪で、折れや割れのない耐久性に優れた特徴をもち、美観も損なわず、すべての指の爪の形を整えた特徴もある。【選択図】図４
2006141939.tif 000002
【特許請求の範囲】
【請求項１】
爪のカーブに適合し易くフィット感をもたすためにやわらかさを５０ＨＤＤ〜８０ＨＤＡとし、軟性樹脂及び軟性ポリマーを用いて、射出成形することを特徴とする付け爪。
【請求項２】
柔軟性、耐久性にすぐれたことを特徴とする請求項１に記載の付け爪。
【発明の詳細な説明】
【技術分野】
【０００１】本発明は、フィット感をだすためにやわらかくした付け爪に関する。
【背景技術】
【０００２】従来技術の付け爪は、ＡＢＳ樹脂を射出成形したものが主流である。硬さも硬く厚みを薄くして硬さの調整をしていが、付け爪にカーブを維持するためには、６６ＨＤＤ以上の硬さ必要になり、これにより、割れ、折れ易さが生じる。
【発明の開示】
【発明が解決しようとする課題】
【０００３】硬さがあるために、本来の人間の爪（以下、「自爪」と言う）のカーブに適合し難く、自爪と付け爪との間に空間ができとれやすい。硬いために力が加わると、割れ、折れを生じやすくなってしまう問題がある。本発明は、上記のような不都合、不具合を解決するために、柔軟性、耐久性に優れた付け爪を提供することを目的とする。
【課題を解決するための手段】
【０００４】以上のことから、自爪カーブに適合し易くするため、空間を作らないために必要なやわらかさを５０ＨＤＤ〜８０ＨＤＡとする柔軟性、従来品との比較として白化現象を用いると、従来品は少ない加重で白化現象がおこるが、発明品は、四方八方あらゆる方向から折り曲げ、折りあわせた状態であっても白化現象はおこらないことから、耐久性に優れた付け爪であることを特徴とする。
【発明の効果】
【０００５】本発明では、やわらかさを独自に設定し、形成面では爪のカーブを保ちつつ、自爪のカーブに適合し、自爪と付け爪の空間の作らない柔軟性に優れた付け爪であり、四方八方あらゆる角度に、折り曲げ、折りあわせても、割れ折れがあらわれない耐久性に優れた付け爪を、軟性樹脂及び軟性ポリマーを用いて射出成形し形成した特徴をもつ付け爪である。
【発明を実施するための最良の形態】
【０００６】図１の型を射出成形により形成された付け爪を１Ａのところでカットし図２の型にする。ただし図１の段階で２Ａは爪の生え際側、２Ｂは爪の先端側をむくように設計する。
【実施例】
【０００７】爪のカーブに適合具合は図３の３Ａ〜３Ｃの拡大した図４を参考にし、開発品が爪の表面を覆いかぶす状態で指のまわりの肌には接しない事が望ましい。
【図面の簡単な説明】
【０００８】
【図１】      射出成形し形成した初期の段階を示した図である。
【図２】      図１を４分の１にカットした状態を示した図である。
【図３】      自爪にセットした状態を示した図である。
【図４】      図３の拡大断面図を示した図である。
【符号の説明】
【０００９】  １Ａ        形成品を４分の１にカットする部分。
２Ａ        爪の生え際側となる部分。
２Ｂ        爪の先側となる部分。
３Ａ        自爪の部分。
３Ｂ        自爪と付け爪を接着する部分。
３Ｃ        発明した付け爪の部分。
３Ｄ        指の部分。
【図１】
2006141939.tif 000003
【図２】
2006141939.tif 000004
【図３】
2006141939.tif 000005
【図４】
2006141939.tif 000006
(57)【要約】【課題】地震時の家具類の揺れ幅を小さく出来る、密封式水容器を提供する。【解決手段】密封式の容器内に精浄水を封入し、家具類の天板部に固定用吸盤で固定する。地震で家具類が傾斜を繰り返すと、固定されている密封式水容器内の精浄水が、傾斜した方向に移動を繰り返すが、密封容器内の水仕切板に依って精浄水の移動が制限されるので、家具の傾斜の周期と、精浄水の移動の周期が一致しないので、家具の揺れ幅を小さく抑えることが出来る密封式水容器。【選択図】図１
2006141937.tif 000002
【特許請求の範囲】
【請求項１】
密封式の容器の中間に複数の間仕切板を設置して、適量の精浄水を封入する。封入された精浄水は、密封式容器内を自由に流動する事が出来るようにしてある。密封式容器の底部には、固定用吸盤が取り付けられていて、家具類の上部天板に固定出来るように成っている、固定用の密封式水容器。
【発明の詳細な説明】
【技術分野】
【０００１】  本発明は、密封式の容器の内部に仕切り板を設けてあり、更に仕切り板の中間は開口部が設けてあり内部には清浄水が満たされている。
【背景技術】
【０００２】従来、地震時の家具の揺れ防止装置は多々ありますが、家具の揺れの減免装置はありませんでした。
【発明の開示】
【発明が解決しようとする課題】
【０００３】そのために、次のような問題点があつた。（１）家具を設置する建物自体が他人の所有物である場合、オーナーの許可を得なければ      固定器具を使用して家具の転倒防止措置が出来ない。（２）家具の設置場所の周囲の大壁が鉄筋コンクリート壁や、ベニヤ板、発泡建材、土壁      などの場合は家具の固定器具の取り付けができない。（３）家具と天井の間に固定器具を使用する場合、天井自体の大部分が吊り下げ方式の施      工のために、下からの押し上げには非常に弱い欠点がある。本発明は、これらの問題点を解決するために、なされたものである。
【課題を解決するための手段】
【０００４】プラスチック製の密封式の容器の内部に、複数の間仕切り板を設けて内部に清浄水を密封する。密封式の容器の底部の下部には、複数の吸盤を取り付け家具の上部に固定できる様にする。容器の内部に精浄水を適量を満たして置くが、容器を傾けると内部の精浄水は複数の間仕切り板のあいだを自由に移動出来る様になつている。以上を特徴とする、地震時の家具の揺れ減衰装置である。
【発明の効果】
【０００５】密封式水容器の内部は、複数の間仕切り板を設置してあり精浄水が満たされている。密封式水容器の下部に取り付けられている、固定用吸盤に依って家具類の上部に固定されいて、地震に依って家具類が傾くと同時に傾く。又、容器内の精浄水も容器の傾きと同時に容器内を移動するが、容器内には仕切板が複数個設置してある為に流速が制限されて、容器の揺れの周期と水の流れの周期が一致しないので、家具類の揺れ幅を小さく抑える事が出来る。
【発明を実施するための最良の形態】
【０００６】以下、本発明の実施の形態について説明する。（イ）密封式水容器の内部に、複数の（ロ）間仕切り板を複数個設置する。密封式水容器の内部に、（ハ）精浄水を適量封入する。密封式水容器の底部に、（二）固定用吸盤を複数個設置して、（ホ）家具類の上部天板に固定する。（ホ）家具類が地震等に依って傾くと、上部に固定している（イ）密封式水容器も同時に傾くが、同時に内部に封入されている、（ハ）精浄水も傾いた方に移動するが、移動する（ハ）精浄水は（イ）密封式容器の中に設置されている複数個の、（ロ）間仕切板に流れが制限される仕組みに成っているので、（ハ）清浄水の移動により重量も移動するので、重心も移動する。地震発生時の揺れで（ホ）家具類と、（イ）密封式水容器は一体なので当然同時に揺れる。又、（ホ）家具類の傾きの周期より（ハ）精浄水の移動の周期が遅れるので、（ホ）家具類の重心の移動が遅れるので全体の揺れの振幅は小さく抑える事ができる。
【実施例】
【０００７】図１に示す様に、（イ）密封式水容器の内部に（ロ）水仕切板を複数個設置し、（ハ）清浄水を適当量封入する。次に、（ホ）家具類の上部に（イ）密封式水容器の下部に取り付けてある、（二）固定用吸盤で（イ）密封式水容器をしっかりと固定する。地震の場合は、（ホ）家具類と共に家具上部に固定されている、（イ）密封式水容器も同時に揺れはじめ、揺れはだんだん大きくなると同時に内部の、（ハ）精浄水も大きく流動するが内部に設置している、（ロ）水仕切板が（ハ）精浄水の流れを制限し、（ハ）精浄水の流れの周期と（ホ）家具類と（イ）密封式水容器の、揺れの周期が一致しないので揺れ幅は大幅に減衰する。なお、（イ）密封式水容器の側面には（ヘ）精浄水注入口が設けてある。
【図面の簡単な説明】
【０００８】
【図１】本発明の設置例を示す斜視図
【図２】本発明の一部を切裂いた側面図
【図３】本発明の実施例を示す斜視図
【図４】本発明の平面、側面、正面図
【符号の説明】
【０００９】イ、密封式水容器ロ、水仕切り板ハ、精浄水二、固定用吸盤ホ、家具類、ロッカー類ヘ、精浄水の注入口
【図１】
2006141937.tif 000003
【図２】
2006141937.tif 000004
【図３】
2006141937.tif 000005
【図４】
2006141937.tif 000006
(57)【要約】      （修正有）【課題】おむつ・パットのズレ、排尿便の漏れ防止する固定具の提供。【解決手段】左右脇がオープン開きで、腰より前下腹部まで一体Ｕ字型の、中芯に形状記憶合金線もしくは、細ピアノ線・ナイロン樹脂体等でその縁辺全局部をシリコンゴム体等とし、両足股・腹腰部を軽圧密着する。【選択図】図１
2006141955.tif 000002
【特許請求の範囲】
【請求項１】
左右脇がオープン開きで、腰より前下腹部まで一体Ｕ字型の、中芯に形状記憶合金線もしくは、細ピアノ線・ナイロン樹脂体等でその縁辺全局部をシリコンゴム体等とした、両足股・腹腰部を軽圧密着する一体型シールバンド式、おむつ固定具。
【発明の詳細な説明】
【発明の詳細な説明】
【技術分野】
【０００１】  医療・介護・育児の福祉等用具に関する。
【背景技術】
【０００２】  紙おむつ・パット等の利用者に於いて、動き寝返り等でズレ・隙間にて排尿排便漏れ起し、当人介助者共に大変であった。
【発明が解決しようとする課題】
【０００３】  衛生具のズレと確実な尿・便漏れ等の防止。
【課題を解決するための手段】
【０００４】  芯部に記憶合金線等を配し各体型に可変しえ、シリコンゴム等の薄細一体品もってシールバンド化図る。
【発明の効果】
【０００５】  尿・便等の漏れを防止出来、本人の苦痛・尊厳保持・介助者の労力軽減図れる。
【発明を実施するための最良の形態】  一般在宅・施設・幼児育児時のおむつ・パット等の使用時。
【実施例】
【０００７】  一実施例を図１イラスト図で示し、説明する。【０００８】  図示した単純形の固定具で、足股挿入部１・腹受部２・腰受部３で成るゴム製一体成型品で、中芯に形状記憶合金線４等配した密着具でおむつ５の上にセットする。
【産業上の利用可能性】
【０００９】  排泄行為の諸問題が解決され、洩れ・ズレ防止でき確実安価な用具の需要は多い。
【図面の簡単な説明】
【００１０】
【図１】  本発明を示すイラスト図である。
【符号の説明】
【００１１】１足腰挿入部  ２腹受部  ３腰受部  ４形状記憶合金線  ５おむつ
【図１】
2006141955.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
片側前方の肘・足置き縦ステー部に張出ステ−を外付し、ネジ式軸にて旋回上下し得る片持式荷物用バスケット又は、荷台有しその蓋がテーブル化兼ねた、車いす用バスケット。
【手続補正３】
【補正対象書類名】明細書
【補正対象項目名】全文
【補正方法】変更
【補正の内容】
【発明の詳細な説明】
【技術分野】
【０００１】
身障者等の車いす付帯品（荷物用バスケット・荷台・蓋兼テーブル）に関する。
【背景技術】
【０００２】
車いす生活者の外出時に於ける手荷物類を運ぶ際、膝上・手押しハンドル部に吊下げる（一人で出来ない）等又、作業食事台不備にて日常生活等不便であった。
【発明の開示】
【発明が解決しようとする課題】
【０００３】
手荷物類の収納及び、作業・食事用テーブルの常備化。
【課題を解決するための手段】
【０００４】
車いすの片側の足置き縦ステーに張出型ステー部を外付、その部に旋回上下式バスケット（蓋部テーブル兼ねる）をセットする事にて解決。
【発明の効果】
【０００５】
荷物を膝上・胸・顎にて支える事無く走行に専念又、テーブルの常備化にて楽で便利。
【発明を実施するための最良の形態】
【０００６】
一般的な外出買い物・遠出一人旅時又、作業・食事用テーブルとして使用する。
【実施例】
【０００７】
一実施例をイラスト図で説明する。
【０００８】
足置き縦ステー部（片方）に張出ステー１（上下二箇所）をネジ等で外付固定、その先端部支点とした旋回上下ネジ２調整式片持ち型荷物用バスケット３有し、荷背受バー４上部に蓋兼テーブル５（折テーブル式）を取付た、前方・側方兼用配置とした、車いす専用バスケット、主材はチタン材等が良い。
【産業上の利用可能性】
【０００９】
一人旅買物等活動的な方用又、一般者の車いす用テーブルの必要者は非常に多い。
【図面の簡単な説明】
【００１０】
【図１】前方使用時のイラスト図。
【図２】（参考資料：側方使用面現わす写図）（※  申出る、図２に於いての写図認められ無きは、職権にて削除願いたい。）
【符号の説明】
【００１１】
１  張り出しステー
２  旋回上下ネジ
３  バスケット
４  荷背受バー
５  蓋兼テーブル
【手続補正４】
【補正対象書類名】図面
【補正対象項目名】全図
【補正方法】変更
【補正の内容】
【図１】
2006141955.tif 000004
【図２】
2006141955.tif 000005
(57)【要約】      （修正有）【課題】動けない寝たきり者等の、在宅看護・介護時の清潔保持、褥瘡等予防の清拭作業の軽減を図る。【解決手段】適宜幅のロングロールタオル１を対面４５°配置の二本の変換ローラ５により清拭面が表裏反転させ、握り部７内部の温水タンク８へタンクキャップ９より適温水注入、使用時に噴射ポンプ１０にて噴射ノズル１１より手動・自動切換えにて霧状散布される蒸気発生（もしくは温水注入式）機能とマッサージ機能を持つ巻取り機であるアイロン型身体清拭器により解決する。【選択図】      図１
2006141957.tif 000002
【特許請求の範囲】
【請求項１】
１枚のロールタオル方式で、清拭面略平面状先端部９０°＝対面４５°成す二本の変換ローラにてロールタオル帯が互いに、表裏反転化し転動スライドする巻取り式の温水注入もしくは、蒸気発生ユニット・マッサージ機能備えた、アイロン型身体清拭器及び、一般的多目的の簡易掃除具・拭取り器。
【発明の詳細な説明】
【発明の詳細な説明】
【０００１】
【技術分野】  身体の清拭機・タオル・スチームアイロン・簡易掃除具等に関する。
【背景技術】
【０００２】  入浴出来ない方・排便後の処理等に於いて、施設ではタオルをスチーム蒸器にて温め複数枚のタオルを、在宅等では温水の洗面容器準備し身体を清拭されていた。
【発明の開示】
【発明が解決しようとする課題】
【０００３】  簡便な清拭法で清潔保持とマッサージ力向上・清拭作業の軽減合理化。
【課題を解決するための手段】
【０００４】  適宜幅のロングロールタオル１本を表裏反転させて、蒸気発生（もしくは温水注入式）機能とマッサージ機能持つ巻取り法の機器化にて解決図る。
【発明の効果】
【０００５】  清拭作業の大幅な軽減合理化、新たなマッサージ効果・垢落しが簡便に行え、例えば、紙・不織布等であれば後処理不要化、布製ならクリーニング再生化の新たな産業にもなり得、使用利用者に於いても清潔保持褥瘡等予防・ヘルパー派遣費（作業時短にて）軽減図れる。
【発明を実施するための最良の形態】
【０００６】  施設はもとより、動けない寝たきり者の在宅看護・介護時の清拭作業にて使用、及び一般的他の簡易掃除具とする使用も考えられる。
【実施例】
【０００７】  一実施例を図１で示し、説明する。【０００８】  このアイロン型  身体清拭器の原理は、１本のロールタオル１が、タオルケース２中央に出入巻取モーター３（駆動・ウォームギァ１５、回転駆動ギァ１６式）が軸４にセット、図示のロールタオル１は、対面４５°配置の二本の変換ローラ５介し、矢印６の方向にスライド転動する事にて清拭面が反転（タオル両面使用化）巻戻される単純機構で、スライドする一本のロールタオル表裏面略同時に使用する方法の、アイロン型身体清拭器及び、多目的簡易掃除具。【０００９】  又、本機器実施例に於いては、スチーム（蒸気・霧状温水）等は、握り部７内部の温水タンク８へタンクキャップ９より適温水注入、使用時必要適宜に噴射ポンプ１０作動にて、噴射ノズル１１より手動・自動切換えにて霧状散布される。【００１０】  そのタオル受面１２は、半柔軟反発体の部分的ランダム丸凸状１３型有し、振動モーター１４セットされる、尚、スチーム用定加温サーモヒーター１５は、湯水タンク８に内臓セット。【００１２】  電源は、ＡＣもしくは、バッテリー搭載充電式何れでも良く、タオル素材も紙・不織布・布製等、タオル幅も通常の包帯幅（３〜４ｃｍ）程度である。【００１３】  使用法は、握り部７を持ち適宜な低速回転面を身体の清拭肌面に軽く撫でマッサージし、アイロン掛けする感覚で移動させ使用する尚、適宜に清拭剤（清拭剤タンク１８）も併用する。
【産業上の利用可能性】
【００１４】  医療医学の発達・食生活改善等にて長寿命化が進み医療介護介助及び、安全対策・清拭作業等は重要で安全確実安価な介助具導入は、衛生清潔向上に役に立ち又、主に施設・各在宅での確実な清拭作業・マッサージ・血流活性が簡便に行え、作業コスト等の削減化図れ、他一般的多目的の簡易掃除具にも使用可にて需要は大きいと考える。
【図面の簡単な説明】
【００１５】
【図１】Ａは、本発明を示す写図である。Ｂは、ロールタオルの原理現わす写図。Ｃは、ロールタオルセット時、Ｄは、先端部現わす全体写図。
【符号の説明】
【００１６】    １  ロールタオル          ７  握り部            １３  丸凸状
２  タオルケース          ８  湯水タンク        １４  振動モーター
３  出入巻取モーター      ９  タンクキャップ    １５  定加温サーモヒーター
４  軸                  １０  噴射ポンプ        １６  ウォームギア
５  変換ローラ          １１  噴射ノズル        １７  回転駆動ギア
６  矢印                １２  タオル受面        １８  清拭剤タンク
【図１】
2006141957.tif 000003
【手続補正書】
【提出日】平成17年3月22日(2005.3.22)
【手続補正２】
【補正対象書類名】特許請求の範囲
【補正対象項目名】全文
【補正方法】変更
【補正の内容】
【特許請求の範囲】
【請求項１】
左右脇がオープン開きで、腰より前下腹部まで一体Ｕ字型の中芯に形状記憶合金線若しくは、細ピアノ線・ナイロン樹脂体等でその縁辺全周部をシリコンゴム体とした一体型シールバンド式、おむつ固定具。
【手続補正３】
【補正対象書類名】明細書
【補正対象項目名】全文
【補正方法】変更
【補正の内容】
【発明の詳細な説明】
【技術分野】
【０００１】
医療・介護・育児のおむつ補助用具に関する。
【背景技術】
【０００２】
紙おむつ・パット等の利用者に於いて、動き寝返り等でズレ・隙間ができ、尿・便漏れを起し、当人介助介護者（幼児に於いては、保護者）共に大変であった。
【発明の開示】
【発明が解決しようとする課題】
【０００３】
おむつ等のズレと確実な尿・便漏れ等の防止。
【課題を解決するための手段】
【０００４】
芯部に記憶合金線等を配し各体型に可変し、軽圧し得るシリコンゴム等の薄細一体品のシールバンド化にて解決する。
【発明の効果】
【０００５】
尿・便等の漏れを防止出来、本人の苦痛・尊厳保持・介助者の労力軽減図れる。
【発明を実施するための最良の形態】
【０００６】
一般在宅・施設・幼児育児時のおむつ・パット上に装着し使用する。
【実施例】
【０００７】
一実施例をイラスト図で示し、説明する。
【０００８】
左右脇オープン開きでＵ字型した単純形の固定具で、足股挿入部１・腹受部２・腰受部３で構成したシリコンゴム製一体成型品で中芯には形状記憶合金線４等配した両足股・腹腰部を軽圧密着する一体型シールバンド式、おむつ固定具。
【産業上の利用可能性】
【０００９】
洩れ・ズレ防止でき確実安価な用具にて介護現場での需要は多い。
【図面の簡単な説明】
【００１０】
【図１】本発明を現わすイラスト図で有る。
【符号の説明】
【００１１】
１  足腰挿入部
２  腹受部
３  腰受部  
４  形状記憶合金線
５  おむつ
【手続補正４】
【補正対象書類名】図面
【補正対象項目名】全図
【補正方法】変更
【補正の内容】
【図１】
2006141957.tif 000004